(57)【要約】【課題】  遠心分離機のバスケットの内周に配置されたフィルタを押えるフィルタ押え具を提供する。【解決手段】  遠心分離機のバスケットの周方向に沿って延びるように配置された円弧状の押え板４１と、押え板４１の対をなす端末部４１ａ，４１ｂ間を連結する連結部４２とによりフィルタ押え具４０を構成する。連結部４２は、押え板４１の曲率と同じ曲率をもって湾曲させられて押え板４１の対をなす端末部４１ａ，４１ｂ間に配置された１対の円弧状の連結片４２Ａ，４２Ｂを備え、連結片４２Ａ，４２Ｂの一端がそれぞれバスケットの軸線方向に延びるピン４３を介して押え板の端末部４１ａ，４１ｂの一方及び他方に連結され、該１対の連結片の他端どうしが同じくバスケットの軸線方向に延びるピン４４を介して相互に連結されている。【選択図】    図４
2005305315.tif 000002
【特許請求の範囲】
【請求項１】
周壁部に多数の透過孔を有するバスケットと、可撓性を有する材料により形成されて前記バスケットの周壁部の内側に配置されたフィルタと、前記バスケットの軸線方向の一端側及び他端側でそれぞれ前記フィルタの内面に当接した状態で配置されて、前記フィルタの端部を前記バスケットの周壁部側に押圧した状態に保持するフィルタ押え具とを備えた遠心分離機において、
前記フィルタ押え具は、弾性を有する材料により前記バスケットの周方向に沿って延びるように形成されて両端の端末部が対をなして前記バスケットの周方向に間隔を隔てて相対するように配置された円弧状の押え板と、前記押え板の対をなす端末部間を連結する連結部とを備えてなり、
前記連結部は、前記バスケットの内周に沿うように前記押え板の曲率と同じ曲率をもって湾曲させられて前記押え板の対をなす端末部間に配置された１対の円弧状の連結片を備えていて、該１対の連結片の一方及び他方の一端がそれぞれ前記バスケットの軸線方向に延びるピンを介して前記押え板の対をなす端末部の一方及び他方に連結されるとともに、該１対の連結片の他端どうしが前記バスケットの軸線方向に延びるピンを介して相互に連結され、
前記フィルタ押え具の押え板と１対の連結片とを前記フィルタの内面に当接させて前記バスケットの周方向に沿わせた状態にしたときに、前記フィルタ押え具が前記バスケットの周方向に沿って円環状をなして前記フィルタを前記バスケットの周壁部側に押圧した状態に保持するように、前記円環状をなした状態でのフィルタ押え具の外径寸法が設定されていること、
を特徴とする遠心分離機。
【請求項２】
周壁部に多数の透過孔を有するバスケットと、可撓性を有する材料により形成されて前記バスケットの周壁部の内側に配置されたフィルタと、前記バスケットの軸線方向の一端側及び他端側でそれぞれ前記フィルタの内面に当接した状態で配置されて、前記フィルタの端部を前記バスケットの周壁部側に押圧した状態に保持するフィルタ押え具とを備えた遠心分離機において、
前記フィルタ押え具は、弾性を有する材料により前記バスケットの周方向に沿って延びるように形成されて両端の端末部が前記バスケットの周方向に間隔を隔てて相対するように配置された円弧状の押え板と、前記押え板の両端の端末部間を連結する連結部とを備えてなり、
前記連結部は、前記押え板の曲率と同じ曲率をもって湾曲させられて前記押え板の端末部間に配置された１対の円弧状の連結片を備えていて、該１対の連結片の一方及び他方の一端がそれぞれ前記バスケットの軸線方向に延びるピンを介して前記押え板の両端の端末部の一方及び他方に連結されるとともに、該１対の連結片の他端どうしが前記バスケットの軸線方向に延びるピンを介して相互に連結され、
前記押え板は、該押え板の周方向に並ぶ複数の円弧状の帯板からなっていて、該複数の帯板の隣接する端部どうしが分離可能な接続部を介して接続され、
前記フィルタ押え具の押え板を構成する帯板の隣接する端部どうしを接続した状態にして前記押え板と１対の連結片とを前記フィルタの内面に当接させて前記バスケットの周方向に沿わせた状態にしたときに、前記フィルタ押え具が前記バスケットの周方向に沿って円環状をなして前記フィルタを前記バスケットの周壁部側に押圧した状態に保持するように、円環状をなした状態での前記フィルタ押え具の外径寸法が設定されていること、
を特徴とする遠心分離機。
【請求項３】
周壁部に多数の透過孔を有するバスケットと、可撓性を有する材料により形成されて前記バスケットの周壁部の内側に配置されたフィルタと、前記バスケットの軸線方向の一端側及び他端側でそれぞれ前記フィルタの内面に当接した状態で配置されて、前記フィルタの端部を前記バスケットの周壁部側に押圧した状態に保持するフィルタ押え具とを備えた遠心分離機において、
前記フィルタ押え具は、弾性を有する材料により前記バスケットの周方向に沿って延びるように形成されて周方向に間隔を隔てた状態で前記バスケットの内周に沿って配置された複数の円弧状の押え板と、前記複数の押え板の隣り合う端末部を対の端末部として、各対の端末部の間を連結するように設けられた連結部とからなり、
前記フィルタ押え具を構成する各連結部は、前記バスケットの内周に沿うように前記押え板の曲率と同じ曲率をもって湾曲させられて連結すべき対の端末部間に配置された１対の円弧状の連結片を備えていて、該１対の連結片の一方及び他方の一端がそれぞれ前記バスケットの軸線方向に延びるピンを介して連結すべき対の端末部の一方及び他方に連結されるとともに、該１対の連結片の他端どうしが前記バスケットの軸線方向に延びるピンを介して相互に連結され、
前記フィルタ押え具のすべての押え板とすべての連結片とを前記フィルタの内面に当接させて前記バスケットの周方向に沿わせた状態にしたときに、前記フィルタ押え具が前記バスケットの周方向に沿って円環状をなして前記フィルタを前記バスケットの周壁部側に押圧した状態に保持するように、円環状をなした状態での前記フィルタ押え具の外径寸法が設定されていること、
を特徴とする遠心分離機。
【請求項４】
遠心分離機のバスケットの周壁部の軸線方向の一端側及び他端側でそれぞれフィルタに当接した状態で配置されて、前記フィルタの端部を前記バスケットの周壁部側に押圧した状態に保持するフィルタ押え具であって、
弾性を有する材料により前記バスケットの周方向に沿うことができるように円弧状に形成されて両端の端末部が対をなして周方向に間隔を隔てて相対するように配置された押え板と、前記押え板の対をなす端末部間を連結する連結部とを備えてなり、
前記連結部は、前記バスケットの内周に沿うことができるように前記押え板の曲率と同じ曲率をもって湾曲させられて前記押え板の対をなす端末部間に配置された１対の円弧状の連結片を備えていて、該１対の連結片の一方及び他方の一端がそれぞれ前記バスケットの軸線方向に延びるピンを介して前記押え板の対をなす端末部の一方及び他方に連結されるとともに、該１対の連結片の他端どうしが前記バスケットの軸線方向に延びるピンを介して相互に連結され、
前記押え板と１対の連結片とを前記フィルタの内面に当接させて前記バスケットの周方向に沿わせた状態にしたときに、全体が前記バスケットの周方向に沿って円環状をなして前記フィルタを前記バスケットの周壁部側に押圧した状態に保持するように、円環状をなした状態での外径寸法が設定されていること、
を特徴とする遠心分離機用フィルタ押え具。
【請求項５】
遠心分離機のバスケットの周壁部の軸線方向の一端側及び他端側でそれぞれフィルタに当接した状態で配置されて、前記フィルタの端部を前記バスケットの周壁部側に押圧した状態に保持するフィルタ押え具であって、
弾性を有する材料により前記バスケットの周方向に沿うことができるように円弧状に形成されて両端の端末部が対をなして周方向に間隔を隔てて相対するように配置された円弧状の押え板と、前記押え板の対をなす端末部間を連結する連結部とを備えてなり、
前記連結部は、前記バスケットの周方向に沿うことができるように前記押え板の曲率と同じ曲率をもって湾曲させられて前記押え板の対をなす端末部間に配置された１対の円弧状の連結片を備えていて、該１対の連結片の一方及び他方の一端がそれぞれ前記バスケットの軸線方向に延びるピンを介して前記押え板の対をなす端末部の一方及び他方に連結されるとともに、該１対の連結片の他端どうしが前記バスケットの軸線方向に延びるピンを介して相互に連結され、
前記押え板は、周方向に並ぶ複数の円弧状の帯板からなっていて、該複数の帯板の隣接する端部どうしが分離可能な接続部を介して相互に接続され、
前記押え板を構成する複数の帯板の隣接する端部どうしを接続した状態にして前記押え板と１対の連結片とを前記フィルタの内面に当接させて前記バスケットの周方向に沿わせた状態にしたときに、全体が前記バスケットの周方向に沿って円環状をなして前記フィルタを前記バスケットの周壁部側に押圧した状態に保持するように、円環状をなした状態での外径寸法が設定されていること、
を特徴とする遠心分離機用フィルタ押え具。
【請求項６】
遠心分離機のバスケットの周壁部の軸線方向の一端側及び他端側でそれぞれフィルタに当接した状態で配置されて、前記フィルタの端部を前記バスケットの周壁部側に押圧した状態に保持するフィルタ押え具であって、
弾性を有する材料により前記バスケットの周方向に沿って延びることができるように円弧状に形成されて周方向に間隔を隔てた状態で配置された複数の円弧状の押え板と、前記複数の押え板の隣り合う端末部を対の端末部として、各対の端末部の間を連結するように設けられた連結部とからなり、
各連結部は、前記バスケットの内周に沿うことができるように前記押え板の曲率と同じ曲率をもって湾曲させられて連結すべき対の端末部間に配置された１対の円弧状の連結片を備えていて、該１対の連結片の一方及び他方の一端がそれぞれ前記バスケットの軸線方向に延びるピンを介して連結すべき対の端末部の一方及び他方に連結されるとともに、該１対の連結片の他端どうしが前記バスケットの軸線方向に延びるピンを介して相互に連結され、
すべての押え板とすべての連結片とを前記フィルタの内面に当接させて前記バスケットの周方向に沿わせた状態にしたときに、全体が前記バスケットの周方向に沿って円環状をなして前記フィルタを前記バスケットの周壁部側に押圧した状態に保持するように、円環状をなした状態での外径寸法が設定されていること、
を特徴とする遠心分離機用フィルタ押え具。
【発明の詳細な説明】
【技術分野】
【０００１】
本発明は、遠心分離機及び遠心分離機のフィルタの端部をバスケットから離反しないように押える遠心分離機用フィルタ押え具に関する。
【背景技術】
【０００２】
遠心分離機は、周壁部に多数の透過孔を有するバスケットと、布等の可撓性を有する材料からなっていてバスケットの周壁部の内周に配置されたフィルタと、バスケットを回転駆動する駆動装置とを備えていて、バスケット内に供給された原液を、バスケットの高速回転により生じる遠心力により固形分と液分との分離して、液分をフィルタを通して外部に排出する。フィルタは、バスケットの周壁部の内面に添わせた状態で配置されて、バスケットの軸線方向の一端側及び他端側にそれぞれ配設されたフィルタ押え具によりバスケットから離反することがないように押えられる。
【０００３】
遠心分離機のフィルタをバスケットの周壁部に対して押える押え具として、特許文献１に示されているように、バスケットの周壁部にフィルタを介して当接された状態で配置されて、フィルタをバスケットの周壁部側に押圧した状態で保持するリング状の押え具が用いられている。この種のフィルタ押え具は、図１１に示したように、弾性を有する材料からなるバンド１を円弧状に成形したものからなっていて、その周方向の一部に、その径を拡大した状態に保持する保持機構２を備えている。特許文献１に示されたフィルタ押え具の保持機構２は、バンド１の一端に設けられた雄形係着具２０１と、バンド１の他端に設けられた雌形係着具２０２と、雌形係着具２０２の先端部に取り付けられる保持バンド２０３とからなっている。雄形係着具２０１及び雌形係着具２０２はそれぞれ、戻り止め用の鋸歯状の歯部２０１ａ及び鋸歯状の溝部２０２ａを備えていて、歯部２０１ａと溝部２０２ａとの係合により、バンド１の径が保持されるようになっている。
【０００４】
この押え具は、そのバンド１がバスケットの内周に配置されたフィルタの内周に沿わせた状態で配置された後、雄形係着具２０１が雌形係着具２０２に係合させられ、保持バンド２０３が雌形係着具２０２の先端に配設される。このフィルタ押え具では、バスケットの回転に伴って生じる遠心力によりその径を拡大させて、フィルタの保持を確実にすることが意図されている。拡大されたバンド１の径は、雄形係着具２０１に形成された鋸歯状の歯部２０１ａと雌形係着具２０２に形成された鋸歯状の溝部２０２ａとの係合により保持される。
【０００５】
また図１２に示したように、バスケット（図示せず。）の内周に沿うように円弧状に形成されたバンド１と、バンド１の両端に設けられたターンバックル機構３とからなるフィルタ押え具が用いられている。ターンバックル機構３は、バンド１の両端に固定されたナット３０１ａ，３０１ｂと、これらのナットに螺合されたネジ部３０２ａ，３０２ｂを有するネジ棒３０２とからなり、ネジ棒３０２の中間部に工具を係合させるための操作部３０２ｃが設けられている。
【０００６】
図１２に示したフィルタ押え具においては、ネジ棒３０２のネジ部３０２ａ，３０２ｂが逆ネジとなっており、バンド１をフィルタ（図示せず。）を介してバスケットの周壁部に当接させた後、操作部３０２ｃに工具を係合させてネジ棒３０２を一方向に回転させることにより、ナット３０１ａ，３０１ｂを互いに離反させる方向に変位させてバンド１の径を拡大させるようになっている。このフィルタ押え具は、バンド１の径の拡大に伴って放射方向に働く力により、フィルタをバスケットの周壁部側に押圧した状態で、フィルタの内側に保持される。
【特許文献１】特開平１０−１８０１４４号公報
【発明の開示】
【発明が解決しようとする課題】
【０００７】
特許文献１に示されたフィルタ押え具では、雌形係着具２０２の溝部の先端が開放されているため、雄形係着具２０１の歯部２０１ａを雌形係着具２０２の溝部２０２ａに係合させただけでは、雄形係着具２０１と雌形係着具２０２とを引き離す方向の力が働いた際に、雌形係着具２０２の先端が開いて雄形係着具２０１が雌形係着具から容易に離脱するおそれがある。そのため、特許文献１に示されたフィルタ押え具では、雌形係着具２０２の先端部に、該雌形係着具の先端部が開くのを阻止するための保持バンド２０３を取り付けて、雌形係着具２０２の先端部を拘束しておく必要がある。ところが、保持バンド２０３を取り付けると、雌形係着具の変形が阻止されるため、押え具に遠心力が作用した際に、押え具の径を拡大するための動きをスムーズに行わせることができないおそれがあり、フィルタの保持を確実に行わせることができないおそれがある。
【０００８】
また図１２に示したように、円弧状のバンド１の両端にターンバックル機構３を設けて、ターンバックル機構のネジ棒３０２を操作することによりバンドの径を拡大してフィルタを押えるように構成されたフィルタ押え具を用いる場合には、バスケット内の狭いスペースに手を入れてネジ棒３０２を操作する必要があるため、バンド１の径を調整するための作業が容易でないという問題があった。
【０００９】
本発明の目的は、バスケットの内周にフィルタを固定する作業を簡単かつ確実に行うことができるようにしたフィルタ押え具を備えた遠心分離機を提供することにある。
【００１０】
本発明の他の目的は、遠心分離機のバスケットの周壁部の内周に配置されたフィルタを、簡単かつ確実に押えることができる遠心分離機用フィルタ押え具を提供することにある。
【課題を解決するための手段】
【００１１】
本発明は、周壁部に多数の透過孔を有するバスケットと、可撓性を有する材料により形成されてバスケットの周壁部の内側に配置されたフィルタと、バスケットの軸線方向の一端側及び他端側でそれぞれフィルタの内面に当接されてフィルタの端部をバスケットの周壁部側に押圧した状態に保持するフィルタ押え具とを備えた遠心分離機を対象とする。
【００１２】
本発明においては、フィルタ押え具が、弾性を有する材料によりバスケットの周方向に沿って延びるように形成されて両端の端末部が対をなしてバスケットの周方向に間隔を隔てて相対するように配置された円弧状の押え板と、この押え板の対をなす端末部間を連結する連結部とを備えている。連結部は、バスケットの内周に沿うように押え板の曲率と同じ曲率をもって湾曲させられて押え板の対をなす端末部間に配置された１対の円弧状の連結片を備えていて、該１対の連結片の一方及び他方の一端がそれぞれバスケットの軸線方向に延びるピンを介して押え板の対をなす端末部の一方及び他方に連結され、該１対の連結片の他端どうしが同じくバスケットの軸線方向に延びるピンを介して相互に連結されている。そして、フィルタ押え具の押え板と１対の連結片とをフィルタの内面に当接させてバスケットの周方向に沿わせた状態にしたときに、フィルタ押え具がバスケットの周方向に沿って円環状をなして、フィルタをバスケットの周壁部側に押圧した状態に保持するように、円環状をなした状態でのフィルタ押え具の外径寸法が設定される。
【００１３】
なおフィルタは、バスケットの周壁部の内周面に直接添わせた状態で配置するようにしてもよく、バスケットの周壁部の内周に配置した金網などからなる硬質のフィルタ部材の内周に添わせた状態で配置するようにしてもよい。
【００１４】
上記のフィルタ押え具によりフィルタを保持する際には、フィルタをバスケットの周壁部の内側に配置した後、連結部を構成する対の連結片を径方向の内側に倒した状態にした２つのフィルタ押え具をバスケット内に挿入し、両フィルタ押え具の押え板をバスケットの軸線方向の一端側及び他端側でそれぞれフィルタの端部の内面に当接させる。しかる後、バスケットの径方向の内側に突出した状態にある、各フィルタ押え具の連結部をバスケットの周壁部側に押して、該連結部を構成する１対の連結片を共にバスケットの周壁部に沿わせた状態にする。このように、フィルタ押え具の押え板と連結片とをフィルタの内面に当接させてバスケットの周方向に沿わせた状態にすると、フィルタ押え具は、その全体が円環状をなした状態になって、その径が拡大され、フィルタをバスケットの周壁部側に押圧する。このように、フィルタ押え具をフィルタの内側に円環状をなした状態で配置したときに、フィルタ押え具からフィルタに十分な押圧力が与えられるように、フィルタ押え具の円環状をなした状態での外径寸法を設定しておけば、フィルタの保持を確実に行わせることができる。
【００１５】
上記のように、本発明に係わる遠心分離機では、フィルタ押え具の押え板をバスケットの周壁部の内側に配置されたフィルタの内周に当てがって、該押え板をバスケットの周方向に沿わせた状態にした後、フィルタ押え具の連結部の中央をバスケットの周壁部側に押すだけで（ワンタッチで）フィルタ押え具を固定することができるため、ネジ締め等の面倒な作業を行うことなく、フィルタの装着作業を簡単かつ確実に行うことができる。
【００１６】
本発明の好ましい態様では、押え板が、周方向に並ぶ複数の円弧状の帯板からなっていて、該複数の帯板の隣接する端部どうしが分離可能な接続部を介して接続されるようになっており、フィルタ押え具の押え板を構成する帯板の隣接する端部どうしを接続した状態にして押え板と１対の連結片とをフィルタの内面に当接させてバスケットの周方向に沿わせた状態にしたときに、フィルタ押え具がバスケットの周方向に沿って円環状をなしてフィルタをバスケットの周壁部側に押圧した状態に保持するように、円環状をなした状態でのフィルタ押え具の外径寸法が設定される。
【００１７】
本発明の他の好ましい態様では、フィルタ押え具が、弾性を有する材料によりバスケットの周方向に沿って延びるように形成されて周方向に間隔を隔てた状態でバスケットの内周に沿って配置された複数の円弧状の押え板と、複数の押え板の隣り合う端末部を対の端末部として、各対の端末部の間を連結するように設けられた連結部とからなっている。この場合、フィルタ押え具を構成する各連結部は、バスケットの内周に沿うように押え板の曲率と同じ曲率をもって湾曲させられて連結すべき対の端末部間に配置された１対の円弧状の連結片を備えていて、該１対の連結片の一方及び他方の一端がそれぞれバスケットの軸線方向に延びるピンを介して連結すべき対の端末部の一方及び他方に連結されるとともに、該１対の連結片の他端どうしがバスケットの軸線方向に延びるピンを介して相互に連結されている。また、フィルタ押え具をフィルタの内面に当接させて、該フィルタ押え具のすべての押え板とすべての連結片とをバスケットの周方向に沿わせた状態にしたときに、フィルタ押え具がバスケットの周方向に沿って円環状をなしてフィルタをバスケットの周壁部側に押圧した状態に保持するように、円環状をなした状態でのフィルタ押え具の外径寸法が設定される。
【００１８】
本発明によればまた、遠心分離機のバスケットの周壁部の軸線方向の一端側及び他端側でそれぞれフィルタに当接した状態で配置されて、フィルタの端部をバスケットの周壁部側に押圧した状態に保持するフィルタ押え具が提供される。
【００１９】
本発明に係わるフィルタ押え具は、弾性を有する材料によりバスケットの周方向に沿うことができるように円弧状に形成されて両端の端末部が対をなして周方向に間隔を隔てて相対するように配置された押え板と、該押え板の対をなす端末部間を連結する連結部とを備えている。連結部は、バスケットの内周に沿うことができるように押え板の曲率と同じ曲率をもって湾曲させられて押え板の対をなす端末部間に配置された１対の円弧状の連結片を備えていて、該１対の連結片の一方及び他方の一端がそれぞれバスケットの軸線方向に延びるピンを介して押え板の対をなす端末部の一方及び他方に連結されるとともに、該１対の連結片の他端どうしがバスケットの軸線方向に延びるピンを介して相互に連結されている。この押え具は、押え板と１対の連結片とをフィルタの内面に当接させてバスケットの周方向に沿わせた状態にしたときに、全体がバスケットの周方向に沿って円環状をなしてフィルタをバスケットの周壁部側に押圧した状態に保持するように、円環状を呈する状態での外径寸法が設定される。
【００２０】
本発明の好ましい態様では、上記押え板が、周方向に並ぶ複数の円弧状の帯板からなっていて、該複数の帯板の隣接する端部どうしが分離可能な接続部を介して相互に接続され、押え板を構成する複数の帯板の隣接する端部どうしを接続した状態で押え板と１対の連結片とをフィルタを介してバスケットの周壁部に当接させた状態にしたときに、全体がバスケットの周方向に沿って円環状をなしてフィルタをバスケットの周壁部側に押圧した状態に保持される。
【００２１】
本発明の他の好ましい態様では、弾性を有する材料によりバスケットの周方向に沿って延びることができるように円弧状に形成されて周方向に間隔を隔てた状態で配置された複数の円弧状の押え板と、複数の押え板の隣り合う端末部を対の端末部として、各対の端末部の間を連結するように設けられた連結部とによりフィルタ押え具が構成される。この場合、各連結部は、バスケットの内周に沿うことができるように押え板の曲率と同じ曲率をもって湾曲させられて連結すべき対の端末部間に配置された１対の円弧状の連結片を備えていて、該１対の連結片の一方及び他方の一端がそれぞれバスケットの軸線方向に延びるピンを介して連結すべき対の端末部の一方及び他方に連結されるとともに、該１対の連結片の他端どうしがバスケットの軸線方向に延びるピンを介して相互に連結される。そして、すべての押え板とすべての連結片とをフィルタの内面に当接させてバスケットの周方向に沿わせた状態にしたときに、フィルタ押え具全体がバスケットの周方向に沿って円環状をなして、フィルタをバスケットの周壁部側に押圧した状態に保持するように、円環状を呈する状態での外径寸法が設定されている。
【発明の効果】
【００２２】
以上のように、本発明によれば、バスケットの周方向に沿うように配置される円弧状の押え板と、該押え板の対をなす端末部に一端が連結されると共に、他端どうしがピンにより連結された１対の円弧状の連結片からなる連結部とによりフィルタ押え具を構成したので、連結部の連結片を径方向の内側に倒した状態のフィルタ押え具をバスケット内に挿入して、押え板をフィルタを介してバスケットの周方向に沿わせた後、バスケットの径方向の内側に突出しているフィルタ押え具の連結部の中央をバスケットの周壁部側に押すだけでフィルタ押え具を取り付けることができる。従って、本発明によれば、バスケット内でネジ締め等の面倒な作業を行うことなく、フィルタの装着作業を簡単かつ確実に行うことができる。
【発明を実施するための最良の形態】
【００２３】
以下図面を参照して本発明の好ましい実施形態を詳細に説明する。
図１は本発明に係わる遠心分離機の全体的な構成を、そのケーシングの蓋部を取り除いた状態で示した上面図、図２は同遠心分離機の縦断面図である。これらの図において、１０は設置ベース１１の上に緩衝装置１２を介して支持されたフレーム、１３はフレーム１０に設けられたボス部１０ａの内側に配置されて軸受け１４により回転自在に支持された回転軸である。また１５は、軸線を垂直方向に向けて配置された円筒状の周壁部１５Ａと、周壁部１５Ａの軸線方向の一端（下端）を閉じる底壁部１５Ｂと、周壁部１５Ａの軸線方向の他端（上端）に取り付けられた環状の端板１５Ｃとを備えたバスケットである。バスケット１５は、その底壁部１５Ｂの中央に設けられたボス部１５B1を回転軸１３に固定することにより回転軸１３に結合されて、回転自在に支持されている。フレーム１０には電動機１６が支持され、電動機１６の出力軸に取り付けられたプーリ１７と、回転軸１３の下端に取り付けられたプーリ１８とにベルト１９が巻き掛けされて、電動機１６の出力軸の回転がベルト１９を介してバスケット１５に伝達されるようになっている。
【００２４】
２０は、バスケット１５の周囲を間隙を介して取り囲むように設けられてフレーム１０に取り付けられた円筒状のケーシング本体、２１は、ケーシング本体２０の上端にヒンジ２２を介して取り付けられて、ケーシング本体２０の上端開口部を開閉する蓋部で、ケーシング本体２０と蓋部２１とによりバスケットを覆うケーシング２３が構成されている。２４は、ケーシングの蓋部２１を駆動するシリンダで、蓋部２１は、シリンダ２４により駆動されて、図２に実線で示した閉位置と、同図に鎖線で示した開位置との間を変位させられる。
【００２５】
バスケット１５の周壁部１５Ａには多数の透過孔（図示せず。）が形成されていて、該周壁部１５Ａの内側にフィルタ３０が配設されている。フィルタ３０は、周壁部１５Ａの内周面に直接添わせた状態で配置されてもよく、バスケットの周壁部１５Ａの内周に添わせて配置された金網などからなる硬質のフィルタ部材の内周に添わせた状態で配置されてもよい。
【００２６】
図３はフィルタ３０の一例を示した断面図である。図示のフィルタ３０は、布等の可撓性を有する材料によりエンドレスに（環状に）形成されたフィルタ本体３０Ａと、エンドレスに形成されて、バスケットの軸線方向の一端側及び他端側にそれぞれ配置されるフィルタ本体３０Ａの一端及び他端に縫いつけられた帯３０Ｂ，３０Ｃとからなっていて、バスケットの周壁部１５Ａの内周面全体（または周壁部１５Ａの内周に配置された金網等の硬質のフィルタ部材の内周面全体）に添うように、その外径寸法が定められている。この例では、フィルタの一端側及び他端側の帯３０Ｂ及び３０Ｃのそれぞれの内周にフィルタ押え具４０を当接させて、フィルタ３０の一端及び他端をバスケットの周壁部１５Ａに対して押圧した状態で保持するようになっている。
【００２７】
フィルタ押え具４０は、図４に示すように、ステンレス鋼等の弾性を有する材料によりバスケット１５の周方向に沿って延びるように形成されて、両端の対をなす端末部４１ａ，４１ｂがバスケットの周方向に間隔を隔てて相対するように配置された円弧状の押え板４１と、押え板４１の対をなす端末部４１ａ，４１ｂ間を連結する連結部４２とからなっている。
【００２８】
図５に拡大して示したように、連結部４２は、バスケット１５の内周に沿うように押え板４１の曲率と同じ曲率をもって湾曲させられて押え板４１の対をなす端末部４１ａ，４１ｂ間に配置された１対の円弧状の連結片４２Ａ，４２Ｂを備えていて、該１対の連結片の一方４２Ａ及び他方４２Ｂの一端がそれぞれバスケットの軸線方向に延びるピン４３を介して押え板の対をなす端末部の一方４１ａ及び他方４１ｂに連結されている。また１対の連結片４２Ａ及び４２Ｂの他端どうしがバスケットの軸線方向に延びるピン４４を介して相互に連結されている。本実施形態では、連結片４２Ａ，４２Ｂのそれぞれの極弧角θが約２０°に設定されている。
【００２９】
また本実施形態では、押え板４１が、該押え板の周方向に並ぶ２つの円弧状の帯板４１Ａ，４１Ｂからなっていて、両帯板４１Ａ，４１Ｂの隣接する端部どうしが分離可能な接続部４８を介して突き合わせ接続されるように構成されている。
【００３０】
本実施形態では、図６（Ａ），（Ｂ）に示すように、中心軸線をバスケットの軸線方向に向けた１対のスリーブ４５，４５が連結片４２Ａの一端の幅方向の両端に溶接され、押え板４１の一方の端末部４１ａの幅方向の中央部にバスケットの軸線方向に中心軸線を向けたスリープ４６が溶接されている。そして、図６（Ｃ）に示すように、押え板４１の端末部４１ａに溶接されたスリーブ４６が連結片４２Ａに溶接されたスリープ４５，４５の間に挿入されて、スリーブ４６とスリーブ４５，４５とが整合させられ、これらのスリープにバスケットの軸線方向に延びるピン４３が挿入されて、連結片４２Ａが押え板４１の一方の端末部４１ａに回動自在に連結されている。全く同様の構造で、連結片４２Ｂの一端が押え板４１の他方の端末部４１ｂにピン４３を介して回動自在に連結され、連結片４２Ａ，４２Ｂの他端どうしがピン４４を介して回動自在に連結されている。
【００３１】
また図７（Ａ），（Ｂ）に示したように、押え板４１を構成する円弧状の帯板４１Ａ及び４１Ｂの隣接する端部の幅方向の中央にそれぞれ切欠き４８a及び突起４８ｂが形成され、切欠き４８ａの開口端付近で帯板４１Ａを間に挟むように配置された１対の短冊状のガイド板４８ｃ，４８ｃが帯板４１Ａに溶接されいる。切欠き４８ａと突起４８ｂとガイド板４８ｃ，４８ｃとにより接続部４８が構成され、突起４８ｂをガイド板４８ｃ，４８ｃの間を通して切欠き４８ａ内に挿入することにより、帯板４１Ａ及び４１Ｂの隣接する端部を突き合わせ接続するようになっている。
【００３２】
図示のフィルタ押え具４０によりフィルタ３０をバスケットに固定する際には、バスケット１５の周壁部の内周にフィルタ３０を添わせた後、図８に示すように、接続部４８を切り離したフィルタ押え具４０の連結部４２の連結片４２Ａ，４２Ｂを押え具の径方向の内側に傾けて両連結片を径方向の内側に山形に突出させた状態にする。この状態で、押え板４１を構成する帯板４１Ａ，４１Ｂを互いに接近させる方向に変位させることによりフィルタ押え具４０の径を縮小させた状態にして該フィルタ押え具をバスケット１５の端板１５Ｃの内側の開口部を通してバスケット内に挿入する。そして、バスケット内で、フィルタ押え具４０の押え板４１をフィルタ３０の端部内面に当接させてバスケットの周方向に沿わせた後、押え板４１を構成する帯板４１Ｂの端部の突起４８ｂを帯板４１Ａの端部の切欠き４８ａ（図７参照）に挿入して、図９に示したように、接続部４８で帯板４１Ａ，４１Ｂの隣接する端部を突き合わせ接続する。次いで、径方向の内側に山形に突出した状態にある連結部４２の中央部（ピン４４により連結された部分）を、図に矢印ａで示したように、径方向の外側に（バスケットの周壁部側に）押すことにより、連結片４２Ａ，４２Ｂをバスケットの周方向に沿わせた状態にし、フィルタ押え具４０を円環状にする。このときフィルタ押え具４０の径が拡大されるため、フィルタ押え具４０は、フィルタ３０をバスケットの周壁部１５Ａ側に押圧した状態でフィルタ３０の内周に保持される。このように、フィルタ押え具４０を円環状にしてフィルタ３０の内周に当接させたときに、フィルタ押え具４０からフィルタ３０に十分な押圧力が与えられるように、円環状を呈した状態でのフィルタ押え具４０の外径寸法を設定しておく。
【００３３】
上記のように、本発明によれば、連結部４２の連結片４２Ａ，４２Ｂを径方向の内側に倒した状態にしたフィルタ押え具４０をバスケット内に挿入して、押え板４１をフィルタの内面に当接させてバスケットの周方向に沿わせた後、バスケットの径方向の内側に突出しているフィルタ押え具の連結部４２の中央をバスケットの周壁部側に押すだけでフィルタ押え具を取り付けることができるので、バスケット１５内でネジ締め等の面倒な作業を行うことなく、フィルタの装着作業を簡単かつ確実に行うことができる。
【００３４】
上記の実施形態では、フィルタ押え具４０の押え板４１を２つの帯板４１Ａ，４１Ｂに分割しているが、押え板を分割しなくても、フィルタ押え具をバスケット内に挿入することができる場合には、円弧状に成形された連続した１枚の帯板により押え板４１を構成して、接続部４８を省略することもできる。このように、円弧状に成形された連続した１枚の帯板により押え板４１を構成した場合でも、押え板４１を変形させることにより、ほとんどの場合、フィルタ押え具をバスケット内に挿入することが可能である。
【００３５】
また弾性を有する材料によりバスケットの周方向に沿って延びることができるように円弧状に形成されて周方向に間隔を隔てた状態で配置された複数の円弧状の押え板と、複数の押え板の隣り合う端末部を対の端末部として、各対の端末部の間を連結するように設けられた連結部とによりフィルタ押え具を構成することもできる。
【００３６】
図１０は、周方向に間隔を隔てて並べられた複数の円弧状の押え板を連結部により連結した構造のフィルタ押え具５０の構成例を示したものである。この例では、長さが等しい３つの円弧状の押え板５１Ａないし５１Ｃが周方向に等角度間隔で配置され、これらの押え板相互間が３つの連結部５２により連結されている。
【００３７】
各連結部５２は、バスケット１５の内周に沿うことができるように押え板５１Ａないし５１Ｃの曲率と同じ曲率をもって湾曲させられて連結すべき対の端末部間に配置された１対の円弧状の連結片５２Ａ，５２Ｂを備えていて、該１対の連結片の一方及び他方の一端がそれぞれバスケットの軸線方向に延びるピン５３を介して連結すべき対の端末部の一方及び他方に連結され、該１対の連結片５２Ａ，５２Ｂの他端どうしがバスケットの軸線方向に延びるピン５４を介して相互に連結されている。そして、すべての押え板５１Ａないし５１Ｃとすべての連結部５２の連結片５２Ａ，５２Ｂとをフィルタ３０の内面に当接させてバスケットの周方向に沿わせた状態にしたときに、全体がバスケットの周方向に沿って円環状をなしてフィルタ３０をバスケットの周壁部側に押圧した状態に保持するように、円環状をなした状態での外径寸法が設定されている。
【００３８】
このように、複数の押え板相互間を回動自在な連結部を介して連結した構造にフィルタ押え具を構成すると、フィルタ押え具からフィルタの周方向の各部により均一に押圧力を作用させることができる。
【００３９】
上記の実施形態では、バスケットの回転軸を垂直方向に向けて配置する縦形の遠心分離機に本発明を適用したが、バスケットの回転軸を水平方向に向けて配置する横形の遠心分離機や、バスケットの回転軸を水平方向に対して傾けた状態で配置する遠心分離機等にも本発明を適用することができるのはもちろんである。
【図面の簡単な説明】
【００４０】
【図１】本発明に係わる遠心分離機の全体的な構成を、そのケーシングの蓋部を取り除いた状態で示した上面図である。
【図２】図１に示した遠心分離機の縦断面図である。
【図３】図１の遠心分離機のバスケットの周壁部の内側に配置されるフィルタの断面図である。
【図４】本発明の実施形態で用いるフィルタ押え具の正面図である。
【図５】図４に示したフィルタ押え具の要部の拡大正面図である。
【図６】（Ａ）及び（Ｂ）はそれぞれフィルタ押え具の連結片と押え板との連結構造を、ピンを外した状態で示した上面図及び正面図である。（Ｃ）は連結片と押え板との連結構造を示した正面図である。
【図７】（Ａ）及び（Ｂ）は図４に示したフィルタ押え具の押え板を構成する帯板の接続部の構造の一例を示した正面図及び上面図である。
【図８】バスケットにフィルタ押え具を取り付ける方法を説明するための説明図である。
【図９】バスケットにフィルタ押え具を取り付ける過程でフィルタ押え具をフィルタの内周に当接させた状態を示した上面図である。
【図１０】本発明で用いるフィルタ押え具の変形例を示した上面図である
【図１１】従来のフィルタ押え具の要部の構造を示した正面図である。
【図１２】従来の他のフィルタ押え具の要部を示した正面図である。
【符号の説明】
【００４１】
１５  バスケット
１５Ａ  バスケットの周壁部
３０  フィルタ
４０  フィルタ押え具
４１  押え板
４２  連結部
４２Ａ，４２Ｂ  連結片
４３，４４  ピン
５０  フィルタ押え具
５１  押え板
５２  連結部
５２Ａ，５２Ｂ  連結片
５３，５４  ピン
【図１】
2005305315.tif 000003
【図２】
2005305315.tif 000004
【図３】
2005305315.tif 000005
【図４】
2005305315.tif 000006
【図５】
2005305315.tif 000007
【図６】
2005305315.tif 000008
【図７】
2005305315.tif 000009
【図８】
2005305315.tif 000010
【図９】
2005305315.tif 000011
【図１０】
2005305315.tif 000012
【図１１】
2005305315.tif 000013
【図１２】
2005305315.tif 000014